(57)【要約】【課題】高い位置の棚やラックに収納されている物品を、出し入れする時に邪魔にならず、かつ設置が極めて容易な落下防止装置を提供する。【解決手段】棚に平行に配した上下動可能な落下防止部材、該落下防止部材をその両端部で支持すると共にその上下動を補助する一対のスライド部材、該落下防止部材をその両端部で吊り下げるように配した一対の索状体、該索状体の各々を対応するそれぞれのスライド部材より上部で同一方向に案内するように配したガイド部材及び該ガイド部材を経た一対の索状体を該スライド部材より下部で一体的に固定する固定部材よりなる落下防止装置。。【選択図】      図１
2004305608.tif 000002
【特許請求の範囲】
【請求項１】
棚からの収納物品の落下を防止する装置において、棚に平行に配した上下動可能な落下防止部材、該落下防止部材をその両端部で支持すると共にその上下動を補助する一対のスライド部材、該落下防止部材をその両端部で吊り下げるように配した一対の索状体、該索状体の各々を対応するそれぞれのスライド部材より上部で同一方向に案内するように配したガイド部材及び該ガイド部材を経た一対の索状体を該スライド部材より下部で一体的に固定する固定部材よりなることを特徴とする落下防止装置。
【請求項２】
請求項１に記載した落下防止装置を複数の棚にそれぞれ独立に設置してなる落下防止装置。
【請求項３】
落下防止部材が棒状体である請求項１又は２記載の落下防止装置。
【請求項４】
スライド部材がスライド用の棒状体からなるスライド用部材をもち、該スライド用部材に落下防止部材を上下動を可能にし且つ脱離を防止する機能をもつ脱離防止部材を介して取りつけてなる請求項１〜３のいずれか１項記載の落下防止装置。
【請求項５】
索状体がワイヤロープであり、索状体用のガイド部材が滑車である請求項１〜４のいずれか１項記載の落下防止装置。
【請求項６】
索状体用のガイド部材を少なくとも３個用いてなる請求項１〜５の落下防止装置。
【請求項７】
スライド部材を棚の左右両側の支柱に設置してなる請求項１〜６のいずれか１項記載の落下防止装置。
【請求項８】
索状体の端部が把持部材をもつ請求項１〜７のいずれか１項記載の落下防止装置。
【請求項９】
上下方向にある複数の棚に設置したそれぞれの落下防止装置のそれぞれの対の索状体を同一個所で固定できるように索状体の固定部材を設置してなる請求項２〜８のいずれか１項記載の落下防止装置。
【発明の詳細な説明】
【０００１】
【発明の属する技術分野】
本発明は、棚から物品が落下することを防止する落下防止装置に関するものである。
【０００２】
【従来の技術】
従来、倉庫などに収納された物品が、振動などにより落下することを防止する手段として、棚の支柱部にチエンや、棒状の落下防止手段を設置する方法が一般的にとられている。また、振動時に落下防止手段が働き物品の落下を防止する方法が提案されている（特許文献１）。さらに、鉛直方向に環状の間接部を有する棒状の落下防止部材を設置することで、簡便に落下防止手段の設置、解除を可能にする方法や（特許文献２）、落下防止部材を回転駆動式の昇降機構で上下させることにより落下防止手段の設置、解除を行う方法（特許文献３）が提案されている。
【０００３】
【特許文献１】特開平８−１３８７０９号公報
【特許文献２】実開平５−６５９１３号公報
【特許文献３】特開平７−１７２５２３号公報
【０００４】
【発明が解決しようとする課題】
しかしながら。棚に落下防止部部材を設置するだけの方法は、設置は簡便に行うことができるものの、物品の出し入れの障害となる。このため、高所に設置したものは物品を出し入れする度に、落下防止手段を解除するため、脚立やはしごを使用して解除を行う必要があり、作業が繁雑化すると共に、作業者の落下などの危険がある。また、振動を感知して落下防止手段が作動する方法については、通常は解放されている状態であるため、振動が感知されなければ落下防止手段を有しない。また、重量物を収納する倉庫などでは、物品の出し入れ時に棚が振動することによって装置が作動する可能性があり、作業に支障をきたす可能性や、事故につながる可能性が残っている。鉛直方向に環状の間接部を有する棒状の落下防止部材を設置する方法は作業時に縦方向に同列の棚が、同時に解放されるため、作業中は落下防止手段がない状態と変わりがない。また、倉庫などの棚の位置が高所に及ぶ場合は、落下防止部材の重量や吊り座の位置が高所になることから、落下防止手段の解除が簡便とはいえなくなる。落下防止部材を回転駆動式の昇降機構で上下させる方法については、上下動させる落下防止手段毎に駆動機構を設置する必要があるため、駆動機構のための空間を必要とし、既存の棚などに簡便に設置することは困難である。また、駆動機構１基に接続された落下防止手段は、同じに解放されるため、物品の出し入れ作業中の事故を防止するには不十分である。
【０００５】
本発明の目的は、係る問題を解決し、高い位置の棚やラックに収納されている物品を、出し入れする時に邪魔にならず、かつ設置が極めて容易な落下防止装置を提供することにある。
【０００６】
【課題を解決するための手段】
即ち、本発明は、棚からの収納物品の落下を防止する装置において、棚に平行に配した上下動可能な落下防止部材、該落下防止部材をその両端部で支持すると共にその上下動を補助する一対のスライド部材、該落下防止部材をその両端部で吊り下げるように配した一対の索状体、該索状体の各々を対応するそれぞれのスライド部材より上部で同一方向に案内するように配したガイド部材及び該ガイド部材を経た一対の索状体を該スライド部材より下部で一体的に固定する固定部材よりなることを特徴とする落下防止装置である。
【０００７】
本発明の落下防止装置は通常の状態では収納物品の落下を効果的に防止した上、収納物品の出し入れ時には、作業の邪魔にならず、作業を効率的に行うことが可能なものである。また本発明の落下防止装置は高所にある棚を含む複数の棚毎に設置し、上下の複数の棚につき一個でその開閉を簡単且つ安全に操作できる。
【０００８】
また、本発明の落下防止装置は構造が簡素であるため、棚の新設時だけでなく既存の倉庫などの棚（ラック）にも簡便に設置することができる。
【０００９】
【発明の実施の形態】
以下図面に基づき本発明の実施体様を説明する。
【００１０】
図１は本発明の落下防止装置の概略説明図である。棚（図示せず）に平行に落下防止部材１を配し、その両端部をスライド部材２，２’に上下に自在に移動可能に取り付けると共に、その両端部（近傍を含む）に吊り下げ用索状体３，３’を取り付け、索状体３，３’をその上部に配した滑車を典型例とするガイド部材４，４’、４”を介して一体化して、それらの他端を固定部材５に固定できるようにする。棚を解放状態にする際に固定部材５の下部に位置する索状体３，３’の端部には、適宜の把持部材６を設ける。この把持部材６を利用して索状体３，３’を手動で引くことにより、落下防止部材１を本来の落下防止機能を示す位置（スライド部材により上下動可能な下端ないしその近傍）から図中点線で示す位置（スライド部材により上下動可能な上端ないしその近傍）まで上昇させて固定することにより、棚が解放状態となり高所での物品の出し入れの作業を容易に行うことが可能となる。本発明では高所で装置を解除することなく、物品の出し入れを容易にすることができる。また、落下防止部材の上下動を手動で行うことができることにより、動力部を省略し、さらに動力伝達部を簡素化することができるため、スライド部材を棚の左右の支柱などに固定することにより、極めて容易に設置をすることができる。
【００１１】
本発明では一つの棚（単位棚）当り一組の落下防止装置を設置する。いわゆる多段ラックにおいて手の届かない高所の複数段の棚に対して同じ装置をそれぞれ設置し、各対の索状体端部の把持部を一個所に集約することにより、より効率的に開閉作業を行うことが可能となる。
【００１２】
本発明の落下防止部材１は、金属又はプラスチック製の棒状体、管状体または板状体が選択できるが、構造上より簡素化できることから、棒状のもの、特に金属製パイプが好ましい。落下防止部材はその両端部をスライド部材２，２’に上下動可能に取り付ける。
【００１３】
スライド部材２，２’は、少なくとも落下防止部材１が落下防止機能を示しうる位置から収納物品の出し入れ作業の支障とならない位置まで上昇することを補助するように通常は棚の左右両側の支柱に設置する。棚の一段分の高さの１〜１／３の高さを落下防止部材１が上下動可能なように位置決めして設置することが好ましい。
【００１４】
スライド部材２，２’の一例を図２に示す。Ａは平面図であり、Ｂは側面図であり、Ｃは底面図である。通常金属または木製の平板８に金属製棒状体などのスライド用部材９をコの字状に取り付ける。そしてスライド用部材９の垂直部に落下防止部材１の端部を上下動可能に取り付ける。平板８は通常棚の左右両側の支柱に取り付ける。
【００１５】
スライド用部材９に上下動可能であって脱離しないように落下防止部材１を取り付ける方式として、図２のＢおよびＣでは、管状体を輪切りした構造の脱離防止部材１０（いわゆるスライドリング）をスライド用部材９に嵌合し、この脱離防止部材１０に落下防止部材１を固定する接合部１１を取りつけた構造を示している。
【００１６】
脱離防止部材と落下防止部材とは一体構造にしたり他の適宜の構造とすることも可能である。その一例を図３に示す。図３の態様では、脱離防止部材１０に棒状の接合部１１’を溶接などで取りつけ、これに管状の落下防止部材１を嵌合して固定ネジで締めて固定している。
【００１７】
この場合、棒状の接合部１１には固定ネジに接する部分に溝を設け、固定ネジとの接触面積を大きくとることが好ましい。さらに、棒状の接合部材に設ける溝は、先端まで達しない構造をとることができ、これにより落下防止部材の設置時に接合部材の抜け落ちによる事故を防止することができる。
【００１８】
本発明の索状体３，３’は、長さ方向に変形可能で使用条件で長さ変化のない索状、線状の部材であればよいが、好ましくはワイヤ、特に好ましくはステンレス製ワイヤが使用される。索状体３，３’は落下防止部材１の両端近傍にそれらの一端を取り付け、ガイド部材４，４”，４”’を介して合体させて作業者が作業しやすい下方位置に設置した固定部材５に固定する。索状体３，３’の他端には把持部材６を設ける。この把持部材６は操作用の引き手部であり、その形状は環状、棒状など作業者が作業しやすい形状とすることが好ましい。
【００１９】
環状の場合は、ワイヤを環状に形成したものでもよく、この場合は作業者の手を保護するために、合成樹脂やゴム製のカバーを取り付けることが好ましい。また、把持部材６は、好ましくは彩色され、複数段の棚に本発明の落下防止装置を設置する場合に色によって棚との対応を識別することができるようにすることが好ましい。また、落下防止部材１やスライド部材２，２’などにも彩色を施し、把持部材６と色彩を一致させることにより、より識別性を高めることもできる。
【００２０】
本発明のガイド部材４，４’，４”は、索状体３，３’の方向を変更する目的で使用できるものであればよいが、索状体にかかる摩擦を低減するために滑車を使用することが好ましい。滑車の形状は特に限定されないが、索状体が滑車から脱離することを防止する形状を有するものが好ましい。
【００２１】
本発明の固定部材５は、索状体３，３’を引き下げた状態、すなわち落下防止部材１が引き上げられた状態で固定するためのものであって、索状体には適宜の固定具７を固定用に設けることが好ましい。固定部材５は、通常作業者が作業しやすい高さに設定する。固定部材５は落下防止部材１を引き上げて棚を解放状態にするときに利用されるが、固定部材を上下方向に複数個設け、上部の固定部材を落下防止部材１がその機能を発揮している通常状態における索状体の固定用に用いることもできる。
【００２２】
固定部材５の一例として、Ｌ字形のステンレス製アングルに、索状体固定用溝を設けたものを挙げることができる。作業時の接触による事故防止のため先端は折り返し形状などにすることが好ましい。その一例を図４に示す。
【００２３】
前記したように、本発明の落下防止装置は高さ方向の複数の棚にそれぞれ設置して、各対の索状体の把持部材を一個所で固定することが好ましく、そのために高さ方向に組合せた落下防止装置の数に相当する固定用溝を固定部材に設けることが好ましい。尚固定部材としてはフックなどの他の手段を用いることもできる。
【００２４】
また棚の位置と固定部材５の位置が離れている場合などでは、前記した滑車を典型例とするガイド部材とは別に、必要に応じ索状体用ガイド部材８を設けることができる。その一例としてＬ字形のステンレス製アングルに索状体が通る孔を設けたもの（ワイヤガイド）を挙げることができる。その一例を図５に示す。
【図面の簡単な説明】
【図１】本発明の落下防止装置の一例を示す説明図。
【図２】スライド部材の一例を示す説明図。
【図３】脱離防止部材と落下防止部材の取り付け例を示す説明図。
【図４】固定部材の一例を示す説明図。
【図５】索状体用のガイド部材の一例を示す説明図。
【符号の説明】
１    落下防止部材
２，２’    スライド部材
３，３’    索状体
４，４’，４”    滑車
５    固定部材
６    把持部材
７    固定具
８    平板
９    スライド用部材
１０    脱離防止部材
１１    脱離防止部材と落下防止部材との接合部
１２    索状体固定用溝
１３    索状体通過用孔
１４，１４’    ビス用孔
【図１】
2004305608.tif 000003
【図２】
2004305608.tif 000004
【図３】
2004305608.tif 000005
【図４】
2004305608.tif 000006
【図５】
2004305608.tif 000007